(57)【要約】【課題】従来の安全帯のＤ環と、フックとを連結するロープは、１本であった。よって、その１本にダメージを受けた状況の中で、作業者が墜落すれば小さな衝撃荷重でも切断し、墜落を阻止できないものであった。【解決手段】従来の単一ロープを複合ロープとし、その複合ロープの１本を太径とし、他の１本を細径に構成すること、また同径のロープとすること。また、それぞれ材質または撚り構成を変える構成、また、伸びあるいは長さを変える構成とするものである。よって、一方のロープにダメージを受けていたとしても、他方のロープによって落下衝撃荷重を確実に受止める。また、墜落発生時の鋼材エッジへの接触においてもロープと鋼材の接触点が２点以上に分散し、最悪の事態を避けられる可能性も生れるものである。【選択図】　　　　図１
2004041575.tif 000002
【特許請求の範囲】
【請求項１】
細幅織りベルトの一端にバックルを備え、中間部に配したＤ環に、先端にフックを備えたロープの基端部を結着した安全帯において、ロープを複数本で構成する複合ロープとしたことを特徴とする複合ロープ付き安全帯。
【請求項２】
複合ロープは太径の主ロープと細径の副ロープで構成したことを特徴とする請求項１に記載の複合ロープ付き安全帯。
【請求項３】
複合ロープは同径のロープの複数本構成としたことを特徴とする請求項１に記載の複合ロープ付き安全帯。
【請求項４】
複合ロープはロープと細幅ベルトで構成したことを特徴とする請求項１に記載の複合ロープ付き安全帯。
【請求項５】
複合ロープはそれぞれ材質または撚り構成を変えた構成としたことを特徴とする請求項２，請求項３または請求項４に記載の複合ロープ付き安全帯。
【請求項６】
複合ロープはそれぞれの伸度あるいは長さを変えた構成としたことを特徴とする請求項２，請求項３，請求項４または請求項５に記載の複合ロープ付き安全帯。
【発明の詳細な説明】
【０００１】
【発明の属する技術分野】
本願は、高所で作業する際に用いる安全帯に係るものであり、特にそのロープに関するものである。
今日まで世界各国ともに、安全帯の一本吊り作業は主ロープ１本で対応するものであった。安全帯の主ロープは相手の構造物にいつも接触して使用するものであるのでしばしば切断し、作業者が高所から墜落して死亡事故が多数発生していた。本願ではこのロープを複合ロープにすることにより、１本切断しても補助する副ロープが人体を受け止め、墜落災害を防止することを目的とし、尊い人命を守ることにより社会に多大に貢献することを特長とした複ロープ式安全帯を開示する。
【０００２】
【従来の技術】
以前より、墜落防止用安全帯は、種々のものがあるが、Ｄ環とフックを連結しているロープは１本である。
【０００３】
建設作業、造船所などにおける高所作業には鋼材に引っ掛けて作業を行うことが多いがそのような場合、鋼材のエッジにロープが接触してその際荷重が加わっておれば、簡単にロープ切断が起り、人体と構築物を連結する手段は断たれたこととなり、今日までこのようなロープ切断事故により、多くの人命を失ってきた。
【０００４】
よって、上記したような作業所に対応したワイヤロープ付き安全帯、さらに合成繊維製ロープの芯にワイヤロープを内蔵したロープを用いた安全帯がある。
ワイヤロープ付き安全帯は、ロープに伸びがないため、落下時の衝撃荷重が大きく、その衝撃荷重を吸収緩和するために、ベルト式のショックアブソーバーを介してＤ環に取付ており、コスト高なものである。
また、合成繊維製ロープの芯にワイヤロープを内蔵したロープを用いた安全帯は、ロープ端末部のサツマ編込という結合方法が手作業のため時間がかかると共に扱いにくく、使用しにくい欠点があった。
【０００５】
【発明が解決しようとする課題】
高所作業においては万が一の墜落を防止するため、労働安全衛生法で、２Ｍ以上となる場所においては必ず安全帯を着用することが義務付けられている。この安全帯の構造はその大部分において、腰部に締着するベルトと、ベルトに基端部を固定し、先端にフックを有するロープ部よりなる。
【０００６】
安全帯において人体を固縛するベルト部と、構築物と人体を連結するロープ部の重要さは優劣がつけられないものであるが、使用時を想定した場合、相手の構造物にいつも接触しているロープ部の方が危険な状況にさらされることが多いものである。
【０００７】
例えば建設作業等の現場において使用される安全帯の使用頻度が高い場合、土、油等で汚れてロープの摩耗、傷、老朽化が判別し難くなることが多く見られる。
またロープの強度は自然劣化して老朽化するものである。
安全帯の使用基準の中に、始業前の点検は必須のものとして指導されているが、汚れによってそれが非常に困難となっている場合、万が一の墜落が発生した際の大きな墜落荷重によってロープが切断し、引止めが出来ないことが考えられる。
【０００８】
安全帯のロープは主としてナイロンが用いられる。これは強度、衝撃吸収性、耐候性、重量等を考慮して決定されたものであるが、その使用頻度、使用方法、保管方法等によってその有する強度は、大きく異なる。よって上記したような問題を含め、その管理の仕方によっては非常に危険な状況が発生するものである。また、適切に保管、使用されていたとしても、建設現場などの鋼材の鋭いエッジに引っ掛けて使用することが多く、このような鋼材にロープが接触する現場での使用において、万が一の墜落発生の場合、安全帯が機能して墜落を引き止めるが、次の瞬間エッジに接触したロープが切断されることが想定される。墜落引止め時の衝撃荷重は通常９００Ｋｇｆ程度もあり、その荷重で引き伸ばされたナイロンロープに鋭いエッジが当接すると、一瞬にしてロープは切断する。
【０００９】
以上の様に通常の使用状態では人体の墜落を引き止める機能を発揮する安全帯であるが、その使用方法によっては無力にも近い状況が発生することが考えられる。
【００１０】
【課題を解決するための手段】
本願では単一ロープを複合ロープに変えて、従来において発生していた危険状況を解消するものである。
ロープ部を複数のロープで構成することによって、一方のロープが損傷、あるいは摩耗していてももう一方の別ロープで墜落を防止できるし、また墜落発生時の鋼材エッジへの接触においてもロープと鋼材の接触点が２点以上に分散し、最悪の事態を避ける可能性も生れるものである。
【００１１】
複合ロープとしては２本構成、３本構成等種々のものが考えられ、ここでは２本について述べるが、実施時の要求に応じ選択できる。
一つの形態としては現在使用しているロープを２本並行に使用するもの。若干重量的には増すが、安全面では有効。
また１本はナイロンで、他の１本はポリエステルというように材質を変えることにより、耐候性に勝るポリエステルが、ナイロンロープが切断した後、最終的に墜落を引き止めることがある。
また、同径であっても撚り構成に変化を持たせ、一方は３つ撚りとし、他方に断面が扁平に変化するためエッジに強い８つ撚りロープを採用することも有効である。また同様の主旨で、一方をベルトとすることによって耐エッジの当接面積を増し、荷重の分散をすることはなお有効である。
【００１２】
二つ目は、２本に主副の位置付けを行い、主ロープは従来通りナイロン製とし、副についてはワイヤー等で補助する方法はエッジ対策として有効と考えられる。衝撃負荷時には伸びの少ないワイヤーが先ずエッジ切断されるが、その際には衝撃が緩和されているため、ナイロンロープはエッジ切断されず、十分に墜落者の引止めが可能となるものである。また副次的に用いるロープの取付点を主ロープのシンブルと供用して構成することにより、Ｄ環、フックへの接続を簡素化することが出来る。
【００１３】
三つ目は、２本のロープの伸度あるいは長さを変えた構成とし、落下衝撃荷重を吸収緩和あるいは段階的に受け持たせるものである。
【００１４】
【実施例】
本願の実施例を詳記すると、
細幅織りベルト１の一端にバックル２を備え、中間部に配したＤ環３に、先端にフック４を備えたロープの基端部を結着した安全帯において、ロープを２本で構成する複合ロープとしたものである。
なお、並行する複合ロープは、一方のロープに固定具８を通して２本がバラバラにならないようにし、他方のロープの対応位置を摺動自在にして一体化するものである。
【００１５】
複合ロープの連結構成において、図２乃至４，６，７のようにすると簡素化できる。また、フックのロープ取付環部の形状変更をしなくて済むものである。
図２乃至４は、Ｄ環、フックとの結着点を、一方のロープは直接Ｄ環、フックに連結し、他方のロープはそのシンブルに連結した構成である。
図６は、サツマ編込部の余長ストランド端を束ねた個所に、細径ロープ７を結着した構成である。
図７は、サツマ編込部寄りに細径ロープ７端をサツマ編込により結着した構成である。本願の複合ロープの連結部を被覆することは実施時の要求に応じ選択できる。
【００１６】
図２は、請求項２に記載したもので、複合ロープは、太径で３つ撚りの主ロープ６と、細径で３つ撚りの副ロープ７で構成したものである。
【００１７】
図３は、請求項４に記載したもので、複合ロープは、ロープ６と細幅ベルト９で構成し、ベルトの幅によって対エッジの当接面積を増し、荷重の分散をするもので、有効な手段である。
【００１８】
図４は、請求項５に記載したもので、複合ロープは、それぞれ材質または撚り構成を変えた構成とするもので、主ロープ６は従来通りナイロン製３つ撚りとし、副ロープ７についてはワイヤー７１で補助する方法はエッジ対策として有効と考えられるものである。墜落の衝撃負荷時には伸びの少ないワイヤー７１に先に負荷が加わりエッジ切断されるが、そのワイヤー切断により大部分の衝撃が緩和されているため、伸びの大きいナイロンロープに加わる衝撃荷重は小さく、エッジ切断は生じずに十分に墜落者の引止めが可能となるものである。
また、上記ワイヤーに代わりポリアミド製の細径ロープとすることもできる。
【００１９】
図５は、請求項３に記載したもので、複合ロープは、同径の主ロープ６の２本構成としたもので、重量的には増すが、安全性が高く、作業者に安心感を与えるものである。
【００２０】
その他にも、同径であっても撚り構成に変化をもたせ、一方は３つ撚り、他方は８つ撚りとして、断面が扁平に変化するためエッジに強い８つ撚りロープを最終的な保証とするもの。さらに、３つ撚りと８つ撚りで、太さを変えた組み合わせとすることもできる。また８つ撚りロープに代えて、細幅のベルトを採用することは対エッジ作用において当接面積が増しなお有効である。
【００２１】
また、１本をナイロン製、他の１本をポリエステル製とすることにより、ナイロンロープの自然劣化による強度低下が発生しても、耐候性に勝るポリエステルが最終的な保証となるものである。さらに、使用される現場に状況に応じてナイロンロープを太く、あるいはポリエステルを太くする等、太さを変えた組み合わせとすることもできる。この実施は請求項２と５の組み合わせである。
【００２２】
図８、９は、請求項６に記載したものを用いた安全帯使用状態図で、複合ロープの伸度あるいは長さを変えた構成とし、伸びの違いによる落下衝撃荷重の分散を行う。常時引張力が加わる主ロープが著しく損傷して衝撃荷重負荷時に低荷重で切断したとしても、最終的には副ロープで引止めを行なうものであるが、この際主ロープの切断が衝撃荷重を緩衝してよりスムーズに墜落の引止めを行うものである。図９に示すように鋼材のエッジに主ロープ６が当接して切断されたとしても、副ロープ７が最終的に墜落を防止するものである。
【００２３】
以上の本願複合ロープは、従来一本であったものを二本、あるいはそれ以上に構成し、安全率の向上を図ったものである。また、墜落発生の際には、衝撃荷重が２本のロープ同時に加わらないように、先ず、主ロープを切断させたり伸張させて、初期の荷重を受け持たせ、他方の副ロープに高荷重が加わらないようにした構成を開示したものである。
【００２４】
【発明の効果】
上記したように、複合ロープを採用することにより、作業中に一方のロープにダメージを受けていたとしても、残存するロープにより、万が一の落下に際しても、落下衝撃荷重を確実に受止めることができると共に、作業者に安心感を与え、安全に作業することができる。
さらに、一方のロープを先に切断させ、落下衝撃荷重を吸収緩和させ荷重の分散を図るなど、最終的な墜落の防止を行なうことが可能なものである。
【図面の簡単な説明】
【図１】本願安全帯の正面図。
【図２】本願請求項２の実施例を示すフック部の拡大正面図。
【図３】本願請求項４の実施例を示すフック部の拡大正面図。
【図４】本願請求項５の実施例を示すフック部の拡大正面図。
【図５】本願請求項３の実施例を示すフック部の拡大正面図。
【図６】本願の他の連結を示すフック部の拡大正面図。
【図７】本願の他の連結を示すフック部の拡大正面図。
【図８】本願請求項６の実施例を示す使用状態図。
【図９】図８のエッジ部の拡大斜視図。
【符号の説明】
１　　ベルト
２　　バックル
３　　Ｄ環
４　　フック
６　　主ロープ
７　　副ロープ
８　　固定具
９　　細幅ベルト
１０　　熱収縮チューブ
７１　　ワイヤー
【図１】
2004041575.tif 000003
【図２】
2004041575.tif 000004
【図３】
2004041575.tif 000005
【図４】
2004041575.tif 000006
【図５】
2004041575.tif 000007
【図６】
2004041575.tif 000008
【図７】
2004041575.tif 000009
【図８】
2004041575.tif 000010
【図９】
2004041575.tif 000011